(57)【要約】本発明は、少数のキーを用いて文字を入力しなければならない携帯用端末機に適用して、より効率的に文字を入力することができる移動端末機用文字入力システムと、これを用いた移動端末に関する。  本発明は、５つのキーで構成されたキーモジュール１０、前記キーモジュールによる接点信号をキー信号に変換して出力するキー信号発生部２０、前記キー信号発生部２０から出力されるキー信号に対応するデータを出力するデータ発生部３０とから構成される。
2005518585.tif 000002
【特許請求の範囲】
【請求項１】
移動端末機に文字データを入力するためのシステムにおいて、
その中央に配置された中央キー、この中央キーの上下左右に配置された上側キー、下側キー、左側キー、右側キーからなるキーモジュール；
前記キーモジュールの各キーを１回クリックして発生される５つのノーマルキー信号、前記各キーを一定時間以上続く１回のクリックで発生される５つのロングキー信号、前記各キーを一定時間内に２回クリックして発生される５つのダブルキー信号、前記中央キーを除いた４つのキーの中、互いに隣接する２つのキーを同時にクリックして発生される４つのデュアルキー信号、前記各キー信号の中で、連続する２回のノーマルキー信号の組合せでなされる第１コンビネーションキー信号、前記各キー信号の中で、ノーマルキー信号とロングキー信号、あるいはノーマルキー信号とダブルキー信号の組合せの中でいずれかひとつの組合せでなされる第２コンビネーションキー信号、の中から選択された少なくとも１種の信号を出力する信号発生部；
前記信号発生部から出力される信号の組合せに対応する文字、あるいは、前記文字の入力を制御するための制御データを出力するデータ発生部、を含むことを特徴とする移動端末機用文字入力システム。
【請求項２】
前記データ発生部は、前記キーモジュール及び信号発生部を通じて入力されるキー信号に対応する韓国語の子母音、英語のアルファベット、中国語の併音表示文字、アラビア数字、記号文字、空欄／文字削除／カーソル移動／選択の機能を有する制御データを、それぞれ韓国語モード、英語モード、中国語併音モード、数字モード、記号モード、制御モードに区分して貯蔵するメモリーをさらに含んで構成され、
前記キーモジュールは、前記各モード中から入力しようとするモードを選択できるキー信号を発生するモードキーと、別途のもう一つのキー信号を発生する第７キーとをさらに含んで構成されることを特徴とする請求項１に記載の移動端末機用文字入力システム。
【請求項３】
前記データ発生部は、前記モードキーによるモード設定が韓国語モードである場合、前記第１コンビネーションキー信号として、それぞれ、中央キー−上側キー、中央キー−右側キー、中央キー−下側キー、中央キー−左側キーのクリックされた信号が、前記信号発生部から入力されると、韓国語の母音中から
【数１】
2005518585.tif 000031
それぞれ出力することを特徴とする請求項２に記載の移動端末機用文字入力システム。
【請求項４】
前記データ発生部は、前記モードキーによるモード設定が韓国語モードである場合、前記第１コンビネーションキー信号として、それぞれ、上側キー−上側キー、右側キー−右側キー、下側キー−下側キー、左側キー−左側キーのクリックされた信号が、前記信号発生部から入力されると、韓国語の母音中から
【数２】
2005518585.tif 000032
それぞれ出力することを特徴とする請求項２に記載の移動端末機用文字入力システム。
【請求項５】
前記データ発生部は、前記モードキーによるモード設定が韓国語モードである場合、前記第１コンビネーションキー信号として、それぞれ、下側キー−中央キー、右側キー−中央キーのクリックされた信号が、前記信号発生部から入力されると、韓国語の母音中から
【数３】
2005518585.tif 000033
出力することを特徴とする請求項２に記載の移動端末機用文字入力システム。
【請求項６】
前記データ発生部は、前記モードキーによるモード設定が韓国語モードである場合、前記第１コンビネーションキー信号として、それぞれ、上側キー−右側キー、左側キー−下側キー、左側キー−中央キー、下側キー−上側キー、右側キー−左側キー、下側キー−右側キー、上側キー−中央キー、左側キー−右側キー、上側キー−下側キー、右側キー−下側キー、上側キー−左側キー、左側キー−上側キー、下側キー−左側キー、右側キー−上側キーのクリックされた信号が、前記信号発生部から入力されると、各組合せの信号別に、韓国語の子音である
【数４】
2005518585.tif 000034
それぞれ出力することを特徴とする請求項２に記載の移動端末機用文字入力システム。
【請求項７】
前記データ発生部は、前記モードキーによるモード設定が韓国語モードである場合、前記第２コンビネーションキー信号として、それぞれ、上側キー−右側キー、左側キー−中央キー、下側キー−右側キー、上側キー−中央キー、上側キー−下側キーのクリックされた信号が、前記信号発生部から入力されると、韓国語の子音である
【数５】
2005518585.tif 000035
それぞれ出力することを特徴とする請求項２に記載の移動端末機用文字入力システム。
【請求項８】
前記データ発生部は、前記モードキーによるモード設定が英語モードあるいは中国語併音モードである場合、前記第１コンビネーションキー信号として、それぞれ、上側キー−中央キー、右側キー−中央キー、下側キー−中央キー、左側キー−中央キーのクリックされた信号が、前記信号発生部から入力されると、英語アルファベット中から「ｎ」、「Ｄ」、「Ｕ」、「Ｃ」をそれぞれ出力することを特徴とする請求項２に記載の移動端末機用文字入力システム
【請求項９】
前記データ発生部は、前記モードキーによるモード設定が英語モードあるいは中国語併音モードである場合、前記第１コンビネーションキー信号として、それぞれ、上側キー−上側キー、右側キー−右側キー、下側キー−下側キー、左側キー−左側キーのクリックされた信号が、前記信号発生部から入力されると、英語アルファベット中から「ｍ」、「Ｂ」、「Ｗ」、「Ｅ」をそれぞれ出力することを特徴とする請求項２に記載の移動端末機用文字入力システム
【請求項１０】
前記データ発生部は、前記モードキーによるモード設定が英語モードあるいは中国語併音モードである場合、前記第１コンビネーションキー信号として、それぞれ、上側キー−右側キー、上側キー−左側キー、中央キー−下側キー、右側キー−左側キー、中央キー−左側キー、中央キー−右側キー、右側キー−上側キー、左側キー−下側キー、左側キー−右側キー−、下側キー−右側キー、下側キー−左側キー、左側キー−上側キー、上側キー−下側キー、中央キー−上側キー、 右側キー−下側キー、下側キー−上側キーのクリックされた信号が、前記信号発生部から入力されると、英語アルファベット中から「Ａ」、「Ｆ」、「Ｇ」、「Ｈ」、「Ｉ」、「Ｊ」、「Ｋ」、「Ｌ」、「Ｏ」、「Ｐ」、「Ｑ」、「Ｒ」、「Ｓ」、「Ｔ」、「Ｘ」、「Ｚ」をそれぞれ出力することを特徴とする請求項２に記載の移動端末機用文字入力システム。
【請求項１１】
前記データ発生部は、前記第２コンビネーションキー信号として、それぞれ、下側キー−中央キー、中央キー−上側キーのクリックされた信号が、前記信号発生部から入力されると、英語モードの場合、「Ｖ」、「Ｙ」をそれぞれ出力し、中国語併音モードの場合、
【数６】
2005518585.tif 000036
「Ｙ」をそれぞれ出力することを特徴とする請求項２に記載の移動端末機用文字入力システム。
【請求項１２】
前記データ発生部は、前記モードキーによるモード設定が数字モードである場合、前記ノーマルキー信号による５つのキー信号と、前記デュアルキー信号による４つのキー信号と、前記キーモジュールの第７キーによる１つのキー信号と、から構成された計１０個のキー信号に、「０」〜「９」のアラビア数字が予め定められた状態で、各キー信号が入力されると、それに対応する数字を出力することを特徴とする請求項２に記載の移動端末機用文字入力システム。
【請求項１３】
前記データ発生部は、前記モードキーによるモード設定が記号モードである場合、各記号を互いに区分できるように、各記号の名称に含められている少なくとも一つの音素を予め設定して、各記号別に設定された少なくとも一つの音素が入力されると、これに対応される記号文字を出力することを特徴とする請求項２に記載の移動端末機用文字入力システム。
【請求項１４】
前記データ発生部は、前記モードキーによるモード設定が記号モードである場合、各記号の韓国語名称の中から選択された２つの音素が入力されると、
【数７】
2005518585.tif 000037
それぞれ出力することを特徴とする請求項６または請求項１３に記載の移動端末機用文字入力システム。
【請求項１５】
前記キーモジュールは、前記上側キーと右側キー、右側キーと下側キー、下側キーと左側キー、左側キーと上側キーのそれぞれの間に、４つのキーが追加配置されて構成されたことを特徴とする請求項１に記載の移動端末機用文字入力システム。
【請求項１６】
前記データ発生部は、前記モードキーによるモード設定が数字モードである場合、前記キーモジュールにおける、前記上側キー、右側キー、下側キー、左側キー、中央キーと、前記上側キーと右側キー、右側キーと下側キー、下側キーと左側キー、左側キーと上側キーのそれぞれの間に配置された４つのキーと、前記第７キーと、からなる計１０個の各キーに、１０個のアラビア数字「０」〜「９」を予め設定し、各キーがクリックされて前記信号発生部からキー信号が入力されると、各キーに設定された数字を出力することを特徴とする請求項１、請求項２、請求項１５のいずれか１項に記載の移動端末機用文字入力システム。
【請求項１７】
中央に配置された中央キー、この中央キーの上下左右に配置された上側キー、下側キー、左側キー、右側キーからなるキーモジュール；
前記キーモジュールの各キーを１回クリックして発生される５つのノーマルキー信号、前記各キーを一定時間以上続く１回のクリックで発生される５つのロングキー信号、前記各キーを一定時間内に２回クリックして発生される５つのダブルキー信号、前記中央キーを除いた４つのキーの中、互いに隣接した２つのキーを同時にクリックして発生される４つのデュアルキー信号、前記各キー信号の中で連続する２回のノーマルキー信号の組合せでなされる第１コンビネーションキー信号、前記各キー信号の中で、ノーマルキー信号とロングキー信号、あるいはノーマルキー信号とダブルキー信号の組合せの中からいずれか一つの組合せでなされる第２コンビネーションキー信号、の中から選択された少なくとも１種の信号を出力する信号発生部；
前記信号発生部から出力される信号の組合せに対応する文字、あるいは、前記文字の入力を制御するための制御データを出力するデータ発生部から構成される文字入力システム；
前記文字入力システムにより入力された文字を表示するディスプレー、を含むことを特徴とする文字入力システムを備えた移動端末機。
【請求項１８】
前記データ発生部は、前記キーモジュール及びキー信号発生部を通じて入力されるキー信号に対応する韓国語の子母音、英語のアルファベット、中国語の併音表示文字、アラビア数字、記号文字、空欄／文字削除／カーソル移動／選択の機能を有する制御データを、それぞれ、韓国語モード、英語モード、中国語併音モード、数字モード、記号モード、制御モードに区分して貯蔵するメモリーをさらに含み、前記キーモジュールは、前記各モード中から入力しようとするモードを選択できるキー信号を発生するモードキーと、別途のもう一つのキー信号を発生する第７キーとをさらに含むことを特徴とする請求項１７に記載の文字入力システムを備えた移動端末機
【請求項１９】
前記データ発生部は、前記モードキーによるモード設定が英語モードあるいは中国語併音モードである場合、前記第１コンビネーションキー信号として、それぞれ、上側キー−中央キー、右側キー−中央キー、下側キー−中央キー、左側キー−中央キーのクリックされた信号が、前記信号発生部から入力されると、英語アルファベット中から「ｎ」、「Ｄ」、「Ｕ」、「Ｃ」をそれぞれ出力することを特徴とする請求項１８に記載の文字入力システムを備えた移動端末機。
【請求項２０】
前記データ発生部は、前記モードキーによるモード設定が英語モードあるいは中国語併音モードである場合、前記第１コンビネーションキー信号として、それぞれ、上側キー−上側キー、右側キー−右側キー、下側キー−下側キー、左側キー−左側キーのクリックされた信号が、前記信号発生部から入力されると、英語アルファベット中から「ｍ」、「Ｂ」、「Ｗ」、「Ｅ」をそれぞれ出力することを特徴とする請求項１８に記載の文字入力システムを備えた移動端末機。
【請求項２１】
前記データ発生部は、前記モードキーによるモード設定が英語モードあるいは中国語併音モードである場合、前記第１コンビネーションキー信号として、それぞれ、上側キー−右側キー、上側キー−左側キー、中央キー−下側キー、右側キー−左側キー、中央キー−左側キー、中央キー−右側キー、右側キー−上側キー、左側キー−下側キー、左側キー−右側キー−、下側キー−右側キー、下側キー−左側キー、左側キー−上側キー、上側キー−下側キー、中央キー−上側キー、右側キー−下側キー、下側キー−上側キーのクリックされた信号が、前記信号発生部から入力されると、英語アルファベット中から「Ａ」、「Ｆ」、「Ｇ」、「Ｈ」、「Ｉ」、「Ｊ」、「Ｋ」、「Ｌ」、「Ｏ」、「Ｐ」、「Ｑ」、「Ｒ」、「Ｓ」、「Ｔ」、「Ｘ」、「Ｚ」をそれぞれ出力することを特徴とする請求項１８に記載の文字入力システムを備えた移動端末機。
【請求項２２】
前記データ発生部は、前記第２コンビネーションキー信号として、それぞれ、下側キー−中央キー、中央キー−上側キーのクリックされた信号が、前記信号発生部から入力されると、英語モードの場合、「Ｖ」、「Ｙ」をそれぞれ出力し、中国語併音モードの場合、
【数８】
2005518585.tif 000038
「Ｙ」をそれぞれ出力することを特徴とする請求項１８に記載の文字入力システムを備えた移動端末機。
【請求項２３】
前記データ発生部は、前記モードキーによるモード設定が中国語モードである場合、前記キーモジュール及びキー信号発生部により「Ｖ」を除いた英語アルファベット「Ａ」、「Ｂ」、「Ｃ」、「Ｄ」、「Ｅ」、「Ｆ」、「Ｇ」、「Ｈ」、「Ｉ」、「Ｊ」、「Ｋ」、「Ｌ」、「Ｍ」、「Ｎ」、「Ｏ」、「Ｐ」、「Ｑ」、「Ｒ」、「Ｓ」、「Ｔ」、「Ｕ」、「Ｗ」、「Ｘ」、「Ｙ」、「Ｚ」と
【数９】
2005518585.tif 000039
による中国語併音とが入力されると、入力された中国語併音の発音に該当する中国語文字の中から少なくとも一つを前記ディスプレーに表示してから選択するようにし、選択された中国語文字を出力することを特徴とする請求項１７乃至請求項２２のいずれか１項に記載の文字入力システムを備えた移動端末機。
【請求項２４】
前記データ発生部は、前記キーモジュール及びキー信号発生部により入力されたキー信号が正しく文字を形成できないか、それに対応するデータが存在しない場合に、これを知らせる誤打警報手段をさらに含むことを特徴とする請求項１７に記載の文字入力システムを備えた移動端末機。
【請求項２５】
前記データ発生部は、前記キーモジュール及びキー信号発生部を通じて入力されたデータに対応する文字を音声に変換して出力するテキスト・トゥ・スピーチ(ＴＴＳ)モジュールをさらに含むことを特徴とする請求項１７に記載の文字入力システムを備えた移動端末機。
【請求項２６】
前記キーモジュールは、前記上側キーと右側キー、右側キーと下側キー、下側キーと左側キー、左側キーと上側キーのそれぞれの間に４つのキーが追加配置されたことを特徴とする請求項１７に記載の文字入力システムを備えた移動端末機。
【請求項２７】
前記データ発生部は、前記モードキーによるモード設定が数字モードである場合、前記キーモジュールにおける、前記上側キー、右側キー、下側キー、左側キー、中央キーと、前記上側キーと右側キー、右側キーと下側キー、下側キーと左側キー、左側キーと上側キーのそれぞれの間に配置された４つのキーと、前記第７と、からなる計１０個の各キーに、１０個のアラビア数字「０」〜「９」を予め設定し、各キーがクリックされて前記信号発生部からキー信号が入力されると、各キーに設定された数字を出力することを特徴とする請求項１７、請求項１８、請求項２６のいずれか１項に記載の文字入力システムを備えた移動端末機。
【発明の詳細な説明】
【技術分野】
【０００１】
本発明は、移動端末機用文字入力システムとこれを用いた移動端末機に関するもので、より詳しくには、少数のキーを用いて文字を入力しなければならない移動端末機に適用して、より効率的に文字を入力できる移動端末機用文字入力システムと、これを用いた移動端末機に関する。
【背景技術】
【０００２】
一般的に、携帯用電話機のように、端末機が小さくて、データを入力するためのキーパッドのキー数が少ない場合、文字入力のために多様な方法が用いられている。代表的に、「０」〜「９」までのキーに、それぞれ複数個の文字キーを対応させ、所望の文字を選択して入力する「トグル(ｔｏｇｇｌｅ)」方式や、子音は各キーに設定し、母音は母音の構成原理によるｃｈｕｎ−ｊｉ−ｉｎ(ｃｈｕｎ(・)は天を、
【０００３】
【数１０】
2005518585.tif 000003
は人を意味する。）を用いて組合せ入力するｃｈｕｎ−ｊｉ−ｉｎ方式や、最小の子音及び母音のキーを用いて、それらを変形させ残りの子母音を入力する「ナラグル(ｎａｒａｇｕｌ)」方式等がある。
前記トグル方式は、文字入力によるキーの操作数が多すぎて多くの時間がかかるため、ｃｈｕｎ−ｊｉ−ｉｎ方式やナラグル方式のような、より少ない数のキー操作により文字入力が可能な方式が開発された。特に、前記ｃｈｕｎ−ｊｉ−ｉｎ方式やナラグル方式は、前記トグル方式に比べて文字入力に必要なキー操作数が相対的に少ないため、多くの端末機において採用されている実態である。
【０００４】
しかし、原則的に「０」から「９」までの１０個で構成されたキーパッドを用いて文字を入力するためには、複雑なキー操作が必要になるため、根本的に文字入力を迅速に処理できない問題点を抱えている。
【発明の開示】
【発明が解決しようとする課題】
【０００５】
本発明は、上記の従来技術の問題点に勘案し案出されたもので、その目的は、移動電話、ＰＤＡ、携帯用コンピューター、ＴＶリモコンのように、文字入力のための多数のキーを配置できない、空間制約のある端末機に最小限のキーを配置し、これらのキーを用いて文字入力を円滑に処理することができる移動端末機用文字入力システムとこれを用いた移動端末機を提供するにある。
【課題を解決するための手段】
【０００６】
前記の目的を達成するために、本発明は、移動端末機に文字データを入力するためのシステムにおいて、その中央に配置された中央キー、この中央キーの上下左右に配置された上側キー、下側キー、左側キー、右側キーからなるキーモジュール；前記キーモジュールの各キーを１回クリックして発生される５つのノーマル(Ｎｏｒｍａｌ)キー信号、前記各キーを一定時間以上続く１回のクリックで発生される５つのロング(Ｌｏｎｇ)キー信号、前記各キーを一定時間内に２回クリックして発生される５つのダブル(Ｄｏｕｂｌｅ)キー信号、前記中央キーを除いた４つのキーの中、互いに隣接する２つのキーを同時にクリックして発生される４つのデュアル(Ｄｕａｌ)キー信号、前記各キー信号の中で、連続する２回のノーマルキー信号でなされる第１コンビネーション(Ｃｏｍｂｉｎａｔｉｏｎ)キー信号、前記各キー信号の中で、ノーマルキー信号とロングキー信号、あるいはノーマルキー信号とダブルキー信号の組合せの中でいずれかひとつの組合せでなされる第２コンビネーションキー信号、の中から選択された少なくとも１種の信号を出力する信号発生部；前記信号発生部から出力される信号の組合せに対応する文字、あるいは、前記文字の入力を制御するための制御データを出力するデータ発生部を、含めることを特徴とする移動端末機用文字入力システムを提供する。
【０００７】
前記データ発生部は、前記キーモジュール及び信号発生部を通じて入力されるキー信号に対応する韓国語の子母音、英語のアルファベット、中国語の併音表示文字、アラビア数字、記号文字、空欄／文字削除／カーソル(ｃｕｒｓｏｒ)移動／選択の機能を有する制御データを、それぞれの言語モード(例：韓国語モード、英語モード、中国語併音モード等）、数字モード、記号モード、制御モードに区分して貯蔵するメモリーをさらに含めて構成され、前記キーモジュールは、前記各モードの中から入力しようとするモードを選択できるキー信号を発生するモードキーと、別途のもう一つのキー信号を発生する第７キーをさらに含めて構成される。
【０００８】
前記データ発生部は、前記モードキーによるモード設定が韓国語モードである場合、前記第１コンビネーションキー信号として、それぞれ、中央キー−上側キー、中央キー−右側キー、中央キー−下側キー、中央キー−左側キーのクリックされた信号が、前記信号発生部から入力されると、韓国語の母音中から
【０００９】
【数１１】
2005518585.tif 000004
前記データ発生部は、前記モードキーによるモード設定が韓国語モードである場合、前記第１コンビネーションキー信号として、それぞれ、上側キー−上側キー、右側キー−右側キー、下側キー−下側キー、左側キー−左側キーのクリックされた信号が、前記信号発生部から入力されると、韓国語の母音中から
【００１０】
【数１２】
2005518585.tif 000005
前記データ発生部は、前記モードキーによるモード設定が韓国語モードである場合、前記第１コンビネーションキー信号として、それぞれ、下側キー−中央キー、右側キー−中央キーのクリックされた信号が、前記信号発生部から入力されると、韓国語の母音中から
【００１１】
【数１３】
2005518585.tif 000006
前記データ発生部は、前記モードキーによるモード設定が韓国語モードである場合、前記第１コンビネーションキー信号として、それぞれ、上側キー−右側キー、左側キー−下側キー、左側キー−中央キー、下側キー−上側キー、右側キー−左側キー、下側キー−右側キー、上側キー−中央キー、左側キー−右側キー、上側キー−下側キー、右側キー−下側キー、上側キー−左側キー、左側キー−上側キー、下側キー−左側キー、右側キー−上側キーのクリックされた信号が、前記信号発生部から入力されると、各組合せの信号別に韓国語の子音である
【００１２】
【数１４】
2005518585.tif 000007
前記データ発生部は、前記モードキーによるモード設定が韓国語モードである場合、前記第２コンビネーションキー信号として、それぞれ、上側キー−右側キー、左側キー−中央キー、下側キー−右側キー、上側キー−中央キー、上側キー−下側キーのクリックされた信号が、前記信号発生部から入力されると、韓国語の子音である
【００１３】
【数１５】
2005518585.tif 000008
それぞれ出力する。
前記データ発生部は、前記モードキーによるモード設定が英語モードあるいは中国語併音モードである場合、前記第１コンビネーションキー信号として、それぞれ、上側キー−中央キー、右側キー−中央キー、下側キー−中央キー、左側キー−中央キーのクリックされた信号が、前記信号発生部から入力されると、英語アルファベット中から「ｎ」、「Ｄ」、「Ｕ」、「Ｃ」を、それぞれ出力する。
【００１４】
前記データ発生部は、前記モードキーによるモード設定が英語モードあるいは中国語併音モードである場合、前記第１コンビネーションキー信号として、それぞれ、上側キー−上側キー、右側キー−右側キー、下側キー−下側キー、左側キー−左側キーのクリックされた信号が、前記信号発生部から入力されると、英語アルファベット中から「ｍ」、「Ｂ」、「Ｗ」、「Ｅ」を、それぞれ出力する。
【００１５】
前記データ発生部は、前記モードキーによるモード設定が英語モードあるいは中国語併音モードである場合、前記第１コンビネーションキー信号として、それぞれ、上側キー−右側キー、上側キー−左側キー、中央キー−下側キー、右側キー−左側キー、中央キー−左側キー、中央キー−右側キー、右側キー−上側キー、左側キー−下側キー、左側キー−右側キー−、下側キー−右側キー、下側キー−左側キー、左側キー−上側キー、上側キー−下側キー、中央キー−上側キー、 右側キー−下側キー、下側キー−上側キーのクリックされた信号が前記信号発生部から入力されると、英語アルファベット中から「Ａ」、「Ｆ」、「Ｇ」、「Ｈ」、「Ｉ」、「Ｊ」、「Ｋ」、「Ｌ」、「Ｏ」、「Ｐ」、「Ｑ」、「Ｒ」、「Ｓ」、「Ｔ」、「Ｘ」、「Ｚ」を、それぞれ出力する。
【００１６】
前記データ発生部は、前記第２コンビネーションキー信号として、それぞれ、下側キー−中央キー、中央キー−上側キーのクリックされた信号が、前記信号発生部から入力されると、英語モードの場合、「Ｖ」、「Ｙ」をそれぞれ出力し、中国語併音モードの場合、
【００１７】
【数１６】
2005518585.tif 000009
「Ｙ」をそれぞれ出力する。
前記データ発生部は、前記モードキーによるモード設定が数字モードである場合、前記ノーマルキー信号による５つのキー信号と、前記デュアルキー信号による４つのキー信号と、前記キーモジュールの第７キーによる１つのキー信号とから構成された計１０個のキー信号に、「０」〜「９」のアラビア数字が予め定められた状態で、各キー信号が入力されると、それに対応する数字を出力する。
【００１８】
前記データ発生部は、前記モードキーによるモード設定が記号モードである場合、各記号を互いに区分できるように、各記号の名称に含められている少なくとも一つの音素を予め設定して、各記号別に設定された少なくとも一つの音素が入力されると、これに対応される記号文字を出力する。
【００１９】
前記データ発生部は、前記モードキーによるモード設定が記号モードである場合、各記号の韓国語名称の中から選択された２つの音素が入力されると、
【００２０】
【数１７】
2005518585.tif 000010
前記キーモジュールは、前記デュアルキーを使わない代わりに、前記上側キーと右側キー、右側キーと下側キー、下側キーと左側キー、左側キーと上側キーのそれぞれの間に、４つのキーが追加構成されて使われることもできる。
前記データ発生部は、前記モードキーによるモード設定が数字モードである場合、前記キーモジュールにおける、前記上側キー、右側キー、下側キー、左側キー、中央キーと、前記上側キーと右側キー、右側キーと下側キー、下側キーと左側キー、左側キーと上側キーのそれぞれの間に配置された４つのキーと、前記第７キーを使って「０」〜「９」の１０個のアラビア数字を予め設定し、各キーがクリックされて前記信号発生部からキー信号が入力されると、各キーに設定された数字を出力する。
【００２１】
本発明は、中央に配置された中央キー、この中央キーの上下左右に配置された上側キー、下側キー、左側キー、右側キーからなるキーモジュール；前記キーモジュールの各キーを１回クリックして発生される５つのノーマルキー信号、前記各キーを一定時間以上続く１回のクリックで発生される５つのロングキー信号、前記各キーを一定時間内に２回クリックして発生される５つのダブルキー信号、前記中央キーを除いた４つのキーの中、互いに隣接する２つのキーを同時にクリックして発生される４つのデュアルキー信号、前記各キー信号の中でノーマルキー信号とノーマル信号との組合せでなされる第１コンビネーションキー信号、前記各キー信号の中で、ノーマルキー信号とロングキー信号、あるいはノーマルキー信号とダブルキー信号の組合せの中でいずれか一つの組合せでなされる第２コンビネーションキー信号、の中から選択された少なくとも１種の信号を出力する信号発生部；前記信号発生部から出力される信号の組合せに対応する文字、あるいは、前記文字の入力を制御するための制御データを出力するデータ発生部から構成される文字入力システム；前記文字入力システムにより入力された文字を表示するディスプレー、を含めることを特徴とする文字入力システムを備えた移動端末機を提供する。
【００２２】
前記データ発生部は、前記キーモジュール及びキー信号発生部を通じて入力されるキー信号に対応する韓国語の子母音、英語のアルファベット、中国語の併音表示文字、アラビア数字、記号文字、空欄／文字削除／カーソル移動／選択の機能を有する制御データを、それぞれの言語モード(例：韓国語モード、英語モード、中国語併音モード等)、数字モード、記号モード、制御モードに区分して貯蔵するメモリーをさらに含んで構成され、前記キーモジュールは、前記各モードの中から入力しようとするモードを選択できるキー信号を発生するモードキーと、別途のもう一つのキー信号を発生する第７キーをさらに含んで構成される。
【００２３】
前記データ発生部は、前記モードキーによるモード設定が英語モードあるいは中国語併音モードである場合、前記第１コンビネーションキー信号として、それぞれ、上側キー−中央キー、右側キー−中央キー、下側キー−中央キー、左側キー−中央キーのクリックされた信号が、前記信号発生部から入力されると、英語アルファベット中から「ｎ」、「Ｄ」、「Ｕ」、「Ｃ」をそれぞれ出力する。
【００２４】
前記データ発生部は、前記モードキーによるモード設定が英語モードあるいは中国語併音モードである場合、前記第１コンビネーションキー信号として、それぞれ、上側キー−上側キー、右側キー−右側キー、下側キー−下側キー、左側キー−左側キーのクリックされた信号が、前記信号発生部から入力されると、英語アルファベット中から「ｍ」、「Ｂ」、「Ｗ」、「Ｅ」をそれぞれ出力する。
【００２５】
前記データ発生部は、前記モードキーによるモード設定が英語モードあるいは中国語併音モードである場合、前記第１コンビネーションキー信号として、それぞれ、上側キー−右側キー、上側キー−左側キー、中央キー−下側キー、右側キー−左側キー、中央キー−左側キー、中央キー−右側キー、右側キー−上側キー、左側キー−下側キー、左側キー−右側キー−、下側キー−右側キー、下側キー−左側キー、左側キー−上側キー、上側キー−下側キー、中央キー−上側キー、右側キー−下側キー、下側キー−上側キーのクリックされた信号が、前記信号発生部から入力されると、英語アルファベット中から「Ａ」、「Ｆ」、「Ｇ」、「Ｈ」、「Ｉ」、「Ｊ」、「Ｋ」、「Ｌ」、「Ｏ」、「Ｐ」、「Ｑ」、「Ｒ」、「Ｓ」、「Ｔ」、「Ｘ」、「Ｚ」を、それぞれ出力する。
【００２６】
前記データ発生部は、前記第２コンビネーションキー信号として、それぞれ、下側キー−中央キー、中央キー−上側キーのクリックされた信号が、前記信号発生部から入力されると、英語モードの場合、「Ｖ」、「Ｙ」をそれぞれ出力し、中国語併音モードの場合、
【００２７】
【数１８】
2005518585.tif 000011
「Ｙ」をそれぞれ出力する。
前記データ発生部は、前記モードキーによるモード設定が中国語併音モードである場合、前記キーモジュール及びキー信号発生部により「Ｖ」を除いた英語アルファベット「Ａ」、「Ｂ」、「Ｃ」、「Ｄ」、「Ｅ」、「Ｆ」、「Ｇ」、「Ｈ」、「Ｉ」、「Ｊ」、「Ｋ」、「Ｌ」、「Ｍ」、「Ｎ」、「Ｏ」、「Ｐ」、「Ｑ」、「Ｒ」、「Ｓ」、「Ｔ」、「Ｕ」、「Ｗ」、「Ｘ」、「Ｙ」、「Ｚ」及び
【００２８】
【数１９】
2005518585.tif 000012
による中国語併音が入力されると、入力された中国語併音の発音に該当する中国語文字の中から少なくとも一つを前記ディスプレーに表示してから選択するようにして、選択された中国語文字を出力する。
前記データ発生部は、前記キーモジュール及びキー信号発生部により入力されたキー信号が正しく文字を形成できないか、それに対応するデータが存在しない場合に、これを振動または警報音で知らせる誤打警報手段をさらに含んで構成される。
【００２９】
前記データ発生部は、前記キーモジュール及びキー信号発生部を通じて入力されたデータに対応する文字を音声に変換して出力するテキスト・トゥ・スピーチ(ＴＴＳ)モジュールをさらに含んで構成される。
前記キーモジュールは、前記デュアルキー信号を使わない代わりに、前記上側キーと右側キー、右側キーと下側キー、下側キーと左側キー、左側キーと上側キーのそれぞれの間に４つのキーが追加構成され使うこともできる。
【００３０】
前記データ発生部は、前記モードキーによるモード設定が数字モードである場合、前記キーモジュールにおける、前記上側キー、右側キー、下側キー、左側キー、中央キーと、また、前記上側キーと右側キー、右側キーと下側キー、下側キーと左側キー、左側キーと上側キーのそれぞれの間に配置された４つのキーと、前記第７キーを使って「０」〜「９」の１０個のアラビア数字を予め設定し、各キーがクリックされて前記信号発生部からキー信号が入力されると、各キーに設定された数字を出力する。
【発明を実施するための最良の形態】
【００３１】
本発明を、好ましい実施例が示された添付図面を参考し、さらに詳しく説明する。
本発明による移動端末機用文字入力システムは、図１に示されたように、５つの接点を持つキーモジュール１０、該キーモジュール１０に連結されキー信号を発生するキー信号発生部２０、該キー信号発生部２０から入力されたキー信号を判読して、それに対応する文字、数字、記号、制御等のデータを出力するデータ発生部３０、該データ発生部３０に連結されて前記キー信号発生部３０から出力される多数のキー信号に対応するデータを貯蔵するメモリー５０、データを表示するディスプレー４０、前記データ発生部３０から入力されるデータを受けて前記ディスプレー４０に出力して表示し、端末機の動作を制御する制御部６０から構成される。
【００３２】
前記キーモジュール１０は、図２に示されたように、中央に配置された中央キー１０Ｅ、該中央キー１０Ｅを中心に上側、右側、下側、左側にそれぞれ配置された上側キー１０Ａ、右側キー１０Ｂ、下側キー１０Ｃ、左側キー１０Ｄで構成される。
前記キーモジュール１０は、図２のように円形に構成されるか、図３のようにキーモジュール１１を楕円形に構成することもできる。また、キー配置は、中央に中央キー１１Ｅ、該中央キー１１Ｅの上から時計方向に上側キー１１Ａ、右側キー１１Ｂ、下側キー１１Ｃ、左側キー１１Ｄが配置される。
【００３３】
なお、キーモジュール１２は、図４に示されたように、菱形になされることもでき、この場合、中央に配置された中央キー１２Ｅを中心に、上から時計方向に上側キー１２Ａ、右側キー１２Ｂ、下側キー１２Ｃ、左側キー１２Ｄで構成される。
前記のように、図２〜図４に示されたキーモジュールの実施例においては、それぞれのキーの境が斜線方向に区分されており、また互いに隣接する構造でなされているが、図５のように、キーモジュール１３の各キーが一定距離以上に完全に分離された構造で構成することもできる。この場合、中央に配置された中央キー１３Ｅを基準に、上から時計方向に上側キー１３Ａ、右側キー１３Ｂ、下側キー１３Ｃ、左側キー１３Ｄが互いに分離された構造に配置されて構成される。
【００３４】
前記のように構成される本発明を用いて、韓国語の子母音、英語のアルファベット、中国語の併音等を入力することができる。
前記キーモジュール１０及びキー信号発生部２０を用いて発生させることができるキー信号は、次の通りである。
１．ノーマルキー信号
上側キー１０Ａ、右側キー１０Ｂ、下側キー１０Ｃ、左側キー１０Ｄ、中央キー１０Ｅを、それぞれ１回クリックしたとき、前記キー信号発生部２０からそれぞれ出力される５つのキー信号。
【００３５】
２．ロングキー信号
前記それぞれのキーを各１回クリックし、一定時間以上押している時、前記キー信号発生部２０からそれぞれ出力される５つのキー信号。
３．ダブルキー信号
前記５つのキーを、それぞれ一定時間内に２回クリックする時、前記キー信号発生部２０からそれぞれ出力される５つのキー信号。
【００３６】
４．デュアルキー信号
前記５つのキーの中で、中央キー１０Ｅを除いた上側キー１０Ａ、右側キー１０Ｂ、下側キー１０Ｃ、左側キー１０Ｄの中で、互いに隣接する２つのキーを同時にクリックして発生される４つのキー信号。
５．第１コンビネーションキー信号
前記各キー信号の中で、ノーマルキー信号とノーマルキー信号の組合せでなされるキー信号。
【００３７】
６．第２コンビネーションキー信号
前記ノーマルキー信号とロングキー信号、あるいは、ノーマルキー信号とダブルキー信号の組合せの中、いずれか一つの組合せでなされるキー信号。
前記のように６種類のキー信号を用いて文字(記号含み)、あるいは空欄(ｓｐａｃｅ)データを入力しようとする時には、第１コンビネーションキー信号あるいは第２コンビネーションキー信号を利用し、数字を入力しようとする時には、上側キー１０Ａ、右側キー１０Ｂ、下側キー１０Ｃ、左側キー１０Ｄ、中央キー１０Ｅのそれぞれのノーマルキー信号と、上側キー１０Ａ−右側キー１０Ｂ、右側キー１０Ｂ−下側キー１０Ｃ、下側キー１０Ｃ−左側キー１０Ｄ、左側キー１０Ｄ−上側キー１０Ａを用いるデュアルキー信号と、また第７キーとを利用する。さらに制御データ、つまり文字入力のための文字削除／カーソル移動／選択等の制御データを入力しようとする時には、それぞれのキーを用いるノーマルキー信号、ロングキー信号あるいはデュアルキー信号を利用する。
【００３８】
データ発生部３０は、前記キーモジュール１０及びキー信号発生部２０からキー信号が入力されると、それに対応するデータをメモリー５０から見つけてディスプレー４０へ出力するか、端末機の制御部６０に入力して、予め定められたプログラムにより処理されるようにする。
【００３９】
本発明においては、文字データを入力することを中心として説明する。
文字データは言語別に異なるため、文字モードを各言語別に区分して処理する。
例えば、韓国語の子母音を入力するための韓国語モード、英語のアルファベットを入力するための英語モード、その他の言語のアルファベットを入力するためのモード、中国語の併音を用いて中国語を入力するための中国語併音モード等に区分することができる。このとき、端末機に提供される言語モードは、端末機を使用する国の特性に合わせて設定する。さらに、適用される言語モードの数と種に無関係にアラビア数字入力モードのための数字モードと、記号文字を入力するための記号モード、空欄入力、文字削除、カーソル移動、選択等の制御機能を持つ制御データを入力するための制御モードも含む。
【００４０】
したがって、前記キーモジュール１０は、前記５つのキー以外に、少なくとも２つのキーをさらに含んで構成される。
その中の一つは、前記ノーマルキー信号を用いる５つのキー信号と、前記デュアルキー信号を用いる４つのキー信号とを合わせた９つのキー信号に、別の一つのキー信号を追加的に生成するためのもので、その結果として、計１０個のキー信号を用いて「０」〜「９」のアラビア数字入力を可能にする。
【００４１】
なお、他の一つのキーは、モード選択をするためのモードキーである。初期設定は端末機自体において使われる機能モードになっており、その状態で前記モードキーをクリックすると、順番に電話番号の入力のための数字モード、該当端末機に設定された言語モード(多数個の場合、使用頻度順に提示)、制御モード、また記号モードに変換される。
【００４２】
前記のようにモードキーを用いて入力モードを韓国語モードに設定する場合に、韓国語の子母音の入力は次のように行われる。
韓国語の母音中で、
【００４３】
【数２０】
2005518585.tif 000013
母音を構成するｃｈｕｎ−ｊｉ−ｉｎ(天−地−人)の原理により、それぞれ、
【００４４】
【数２１】
2005518585.tif 000014
を中央キーと設定した後、ｃｈｕｎ(・)の方向に置かれたキーを追加にクリックすることによりなされる。つまり、
【００４５】
【数２２】
2005518585.tif 000015
それぞれ、前記第１コンビネーションキー信号として、中央キー−上側キー、中央キー−右側キー、中央キー−下側キー、中央キー−左側キーで組合せられるキー信号が、キー信号発生部２０からデータ発生部３０に入力されると、前記データ発生部３０は、それぞれ
【００４６】
【数２３】
2005518585.tif 000016
を制御部６０へ出力する。
さらに、韓国語の母音中で、
【００４７】
【数２４】
2005518585.tif 000017
の入力のためのキー組合せを応用するために、
【００４８】
【数２５】
2005518585.tif 000018
のキー組合せの中で、２番目のキー信号をそれぞれ２回ずつクリックして処理する。
したがって、
【００４９】
【数２６】
2005518585.tif 000019
それぞれ、上側キー１０Ａ、右側キー１０Ｂ、下側キー１０Ｃ、左側キー１０Ｄをそれぞれ２回クリックすると、結果的に、第１コンビネーションキー信号として、上側キー−上側キー、右側キー−右側キー、下側キー−下側キー、左側キー左側キーで組合せられるキー信号が、前記キー信号発生部２０からデータ発生部３０に入力され、各文字が制御部６０へ入力される。
【００５０】
韓国語の母音中で
【００５１】
【数２７】
2005518585.tif 000020
は、第１コンビネーションキー信号として、それぞれ、下側キー−中央キー、右側キー−中央キーの組合せで処理する。
韓国語の子音である、
【００５２】
【数２８】
2005518585.tif 000021
第１コンビネーションキー信号として、それぞれ、上側キー−右側キー、左側キー−下側キー、左側キー−中央キー、下側キー−上側キー、右側キー−左側キー、下側キー−右側キー、上側キー−中央キー、左側キー−右側キー、上側キー−下側キー、右側キー−下側キー、上側キー−左側キー、左側キー−上側キー、下側キー−左側キー−、右側キー−上側キーの組合せにより生成されたキー信号を用いて処理する。
【００５３】
また、前記韓国語の子音中で、
【００５４】
【数２９】
2005518585.tif 000022
を入力するためには、第２コンビネーションキー信号として、上側キー−右側キー、左側キー−中央キー、下側キー−右側キー、上側キー−中央キー、上側キー−下側キーの組合せにより生成されたキー信号を用いて処理する。
英語モードの場合には、モードキーを用いて英語モードに変換した後、次のように処理する。
【００５５】
英語アルファベットの中で、「ｎ」、「Ｄ」、「Ｕ」、「Ｃ」は、各文字の形態がいずれか一方向に１回ずつ曲がった形になっているため、これを連想してキー組合せを行う。
したがって、前記「ｎ」、「Ｄ」、「Ｕ」、「Ｃ」は、第１コンビネーションキー信号として、それぞれ、上側キー−中央キー、右側キー−中央キー、下側キー−中央キー、左側キー−中央キーを組合わせて処理する。
【００５６】
さらに、英語アルファベットの中で、「ｍ」、「Ｂ」、「Ｗ」、「Ｅ」は、それぞれ、いずれか一方向に２回ずつ曲がった形の文字であるため、これを連想してキー組合せを行う。ここで、前記「Ｅ」は「ε」を連想して処理したものである。
したがって、前記「ｍ」、「Ｂ」、「Ｗ」、「Ｅ」は、第１コンビネーションキー信号として、それぞれ、上側キー−上側キー、右側キー−右側キー、下側キー−下側キー、左側キー−左側キーを組合わせて処理する。
【００５７】
英語文字の中で、「Ａ」、「Ｆ」、「Ｇ」、「Ｈ」、「Ｉ」、「Ｊ」、「Ｋ」、「Ｌ」、「Ｏ」、「Ｐ」、「Ｑ」、「Ｒ」、「Ｓ」、「Ｔ」、「Ｘ」、「Ｚ」は、第１コンビネーションキー信号として、それぞれ、上側キー−右側キー、上側キー−左側キー、中央キー−下側キー、右側キー−左側キー、中央キー−左側キー、中央キー−右側キー、右側キー−上側キー、左側キー−下側キー、左側キー−右側キー、下側キー−右側キー、下側キー−左側キー、左側キー−上側キー、上側キー−下側キー、中央キー−上側キー、右側キー−下側キー、下側キー−上側キーで組合わせて処理する。
【００５８】
英語文字の中で、「Ｖ」、「Ｙ」は、それぞれ、「Ｕ」、「Ｔ」を入力する過程において、２番目に入力されるキー信号を一定時間以上押すか、あるいは一定時間内に２回連続にクリックさせて発生されるキー信号を用いて処理する。したがって、前記「Ｖ」、「Ｙ」は、第２コンビネーションキー信号として、それぞれ、下側キー−中央キー、中央キー−上側キーを組合わせて処理する。
【００５９】
一方、中国語文字の入力は、「Ｖ」を除いた英語アルファベットと
【００６０】
【数３０】
2005518585.tif 000023
文字とを用いて中国語併音表示文字を入力して、それに対応する文字中から所望の中国語文字を選んで入力する中国語併音処理方式で行われるが、前記
【００６１】
【数３１】
2005518585.tif 000024
文字以外には前記英語アルファベットのキー組合せと同様に処理し、前記
【００６２】
【数３２】
2005518585.tif 000025
は英語アルファベットの「Ｖ」のような方法で入力するようにする。したがって、中国語の併音モードにおいて使われる文字は、英語アルファベットの「Ｖ」を除いた「Ａ」、「Ｂ」、「Ｃ」、「Ｄ」、「Ｅ」、「Ｆ」、「Ｇ」、「Ｈ」、「Ｉ」、「Ｊ」、「Ｋ」、「Ｌ」、「Ｍ」、「Ｎ」、「Ｏ」、「Ｐ」、「Ｑ」、「Ｒ」、「Ｓ」、「Ｔ」、「Ｕ」、「Ｗ」、「Ｘ」、「Ｙ」、「Ｚ」と
【００６３】
【数３３】
2005518585.tif 000026
このような方式で処理される中国語モードの処理は、図６のような過程により処理される。中国語モードに変換されると、ディスプレー４０が、図６に示されるように、併音入力窓４０Ｂ、文字表示窓４０Ｃ、選択表示窓４０Ａに分割されて表示される。
【００６４】
中国語のモード処理過程を「互換」を例にあげて説明する。
１．キーモジュール１０及びキー信号発生部２０を用いて、「互」の中国語併音である「ＨＵ」を併音入力窓４０Ｂに逐次入力する。よって、前記「ＨＵ」は、右側キー−左側キー、下側キー−中央キーの組合せでなされるキー信号がデータ発生部３０に入力される。このようにキー信号が入力されると、「ＨＵ」に対応する中国語文字中で、使用頻度が一番多い８字(１ｓｔ Ｓｅｔ)が選択表示窓４０Ａに表示される(図６(Ａ)参照)。
【００６５】
２．所望の中国語文字が選択表示窓４０Ａに表示されると、使用者は中央キー１０Ｅを除いた４つのノーマルキー信号と４つのデュアルキー信号とを含めて、計８つのキーを方向キーとして用いて、所望の文字を選択する(図６(Ｂ)参照)。
３．選択された字は文字表示窓４０Ｃに表示される(図６(Ｃ)参照)。
【００６６】
４．続いて、「換」を入力するために、順に「Ｈ」、「Ｕ」、「Ａ」、「Ｎ」を、前記キーモジュール１０及びキー信号発生部２０を用いて入力すると、入力される併音に対応する文字が存在する場合に、その文字が表示される。つまり、「換」の併音は「ＨＵＡＮ」であるが、これを入力する過程において「ＨＵ」、「ＨＵＡ」に対応する文字が存在するため、「ＨＵ」(図６(Ｄ)参照)と「ＨＵＡ」(図６(Ｅ)参照)の併音に該当する文字が表示されてから、「ＨＵＡＮ」に該当する文字が表示される(図６(Ｆ)参照)。
【００６７】
５．同様に、所望の文字を選択すると、選ばれた文字が文字表示窓４０Ｃに表示される(図６(Ｇ)参照)。
数字モードを用いるアラビア数字の入力は、次のように行われる。アラビア数字は「０」〜「９」でなされる１０個の数字である。したがって、キーモジュールを構成する基本キーである上側キー１０Ａ、右側キー１０Ｂ、下側キー１０Ｃ、左側キー１０Ｄ、中央キー１０Ｅのノーマルキー信号による５つのキー信号と、前記デュアルキー信号による４つのキー信号、また、別途に追加された一つのキー(第７キー)により生成される第７キー信号、から構成された計１０個のキー信号を用いる。
【００６８】
例えば、「１」は上側キー１０Ａをクリック、「２」は上側キー１０Ａ−右側キー１０Ｂを同時にクリック、「３」は右側キー１０Ｂをクリック、「４」は右側キー１０Ｂ−下側キー１０Ｃを同時にクリック、「５」は下側キー１０Ｃをクリック、「６」は下側キー１０Ｃ−左側キー１０Ｄを同時にクリック、「７」は左側キー１０Ｄ、「８」は左側キー１０Ｄ−上側キー１０Ａを同時にクリック、「９」は中央キー１０Ｅをクリック、「０」は別途のキー、つまり第７キーのクリックによるキー信号で処理される。
【００６９】
また、文字データには、前記の説明のような韓国語、英語、中国語の以外にも、ピリオド、コンマ等のような記号文字がある。
このような記号文字を入力するためには、本発明においては、各記号の名称中から、少なくとも各記号を代表できる２つの代表音素を取り出して、各記号別に該当音素を入力することにより処理する。
韓国語の場合、各記号別の韓国語名称と、取り出された２つの音素は、表１の通りである。
【００７０】
【表１】
2005518585.tif 000027
前記表１において、「第一番目に入力される文字」と「第二番目に入力される文字」の意味は、例えば、「．(ピリオド)」記号の場合に韓国語で「マチム」と発音されるため、
【００７１】
【数３４】
2005518585.tif 000028
を代表文字として取り出して、前記韓国語モードのような方式にて
【００７２】
【数３５】
2005518585.tif 000029
を入力するという意味である。
本発明による移動端末機用文字入力システムを入力手段として利用できる移動端末機としては、移動電話、ＰＤＡ，携帯用コンピュータ、ＴＶリモコン等があり得る。
したがって、移動端末機は、前記のように構成され動作する移動端末機用文字入力システムを該当システム内に収容して、別の構成要素とともに構成される。
【００７３】
移動電話端末機の場合には、移動電話機能を具現するための移動電話構成要素の以外の入力システムとして前記移動端末機用文字入力システムを用い、ＰＤＡと携帯用コンピュータの場合には、ＰＤＡあるいは携帯用コンピュータのデータ処理のためのシステムに入力手段として前記移動端末機用文字入力システムを用いる。ＴＶリモコンの場合、プログラムの検索、ＩＤと暗証番号の入力、商品注文等の目的で文字入力が要求されるとき、文字データの入力手段として用いられる。
【００７４】
前記のように、文字入力システムを、どのような移動端末機に適用させても、文字等のデータの入力方法は同様に適用される。
また、前記移動端末機において、前記文字入力システムを用いて文字を入力していると、入力されたキー信号が正常的な文字を形成できない場合、または入力されたキー信号に対応する文字がメモリー５０に存在しない場合、つまり誤打が生ずる場合があり得る。このような場合を防ぐために、前記データ発生部３０は、入力されたキー信号が非正常的であるか、それに対応される文字が前記メモリー５０に存在しないと、振動あるいは警報音等の誤打警報手段(図示せず)を通じて使用者に知らせるようになる。
【００７５】
さらに、文字を入力する時に、ディスプレー４０を確認することができない状況下で入力された文章を伝送しなければならない場合があり得る。このような場合のために、前記データ発生部３０は、出力される文字を音声に変換して出力するＴＴＳ(Ｔｅｘｔ Ｔｏ Ｓｐｅｅｃｈ)モジュール(図示せず)を通じて使用便宜性を増大させる。前記ＴＴＳモジュールによる機能は、話すことのできない障害者の意思表現の手段としても利用されることができる。
【００７６】
前記のような方式により入力される文字入力方法を、既存の方式、つまり、(株)三星電子から生産される移動電話機において使われるｃｈｕｎ−ｊｉ−ｉｎのハングル入力方式や、(株)ＬＧ電子から生産される移動電話機において使われるナラグル入力方式、(株)ＳＫから生産されるハングル入力方式、と比べて表２に表した。
【００７７】
【表２】
2005518585.tif 000030
但し、数値はｍｓ(１／１０００秒)の単位に表示された理論的入力時間であり、(  ) 内の数値は入力する打数を示す。なお、本発明を除いた部分のデータは、キム・サンファン、ミョン・ノヘのＨＣＩ学会 発表論文(２００１)を参照したものであり、本発明のデータは同様の方式にて計算されたものである。
【００７８】
三星、ＬＧ、ＳＫの方式においては、入力時間が打数に比例することが分かる。これは、打数をもうそれ以上減らすことのできない方法論的限界にある現況下で、１２個の番号キーを用いる方式に執着していては、今より非常に優れたシステムを開発することは不可能であることを示唆する。
【００７９】
本発明は、事実上、１つのキーを利用することと同様である。押さなけらばならないキーモジュールが常に親指の下あるいは真下に位置しているためである。したがって、指の移動に要される時間が極めて短縮されて、視線が画面とキーとを行き来する必要がないため、たとえ打数は５０％程多いとしても、全体的な入力時間は既存方式に比べて極めて短い。但し、上記に表示されている時間は公式により計算された理論的な入力時間として、単なる比較の目的として提示したもので、実際には、総ての機種においてそれより速い時間に入力することができる。
【００８０】
すなわち、既存システムを用いて一つのキーを押すのにかかる時間は、理論的に次の通りである(キム・サンファン＆ミョン・ノヘ(２００１))。
(指を移動して)キーを押すのに要する時間：２３５〜４２０ｍｓ、文字板と画面の間での視線往復時間：２３０ｍｓ×２＝４６０ｍｓ、計：６９５〜８８０ｍｓ。
【００８１】
本発明を利用して一つのキーを押すのにかかる時間は、理論的に次の通りである。
第一番目のキーを押すのに要する時間：２３５ｍｓ、(指を移動して)第二番目のキーを押すに要する時間：２３５〜２９０ｍｓ、計：４７０〜５２５ｍｓ。(目はずっと画面を見ているため、視線往復時間は要らず)。
【００８２】
つまり、理論的に、既存システムより入力速度が速くて、さらに電話機を握っている手で文字を入力できるという長所と、また、ある程度慣れた後には画面を見ないで(さらに、電話機を握っている手を手袋に入れたままでも、歩きながらでも前を見て安全に)文字を入力することができるという長所を有している。
【００８３】
前記移動端末機用文字入力システムと文字入力システムを備えた移動端末機の実施例においては、キーモジュール１０が中央キー１０Ｅ、上側キー１０Ａ、右側キー１０Ｂ、下側キー１０Ｃ，左側キー１０Ｄ，モードキー、第７キーから構成されることを例とあげて説明したが、前記キーモジュール１０における上側キー１０Ａと右側キー１０Ｂ、右側キー１０Ｂと下側キー１０Ｃ、下側キー１０Ｃと左側キー１０Ｄ、左側キー１０Ｄと上側キー１０Ａの、それぞれの間に４つのキーを追加配置して構成し、各キーの間に追加配置された４つのキーに、前記デュアルキー信号を対応させて使用することができる。
【００８４】
このようにすると、数字モードにおいて、上側キー１０Ａ，右側キー１０Ｂ、下側キー１０Ｃ、左側キー１０Ｄ，中央キー１０Ｅと、また、上側キー１０Ａと右側キー１０Ｂ、右側キー１０Ｂと下側キー１０Ｃ、下側キー１０Ｃと左側キー１０Ｄ，左側キー１０Ｄと上側キー１０Ａのそれぞれの間に配置された４つのキーと、前記第７キーとで、数字「０」〜「９」を入力できる１０個のキーが備えられる。
【００８５】
前記のように備えられたキーを用いて、上側キー１０Ａ−「１」、上側キー１０Ａと右側キー１０Ｂの間のキー−「２」、右側キー１０Ｂ−「３」、右側キー１０Ｂと下側キー１０Ｃの間のキー−「４」、下側キー１０Ｃ−「５」、下側キー１０Ｃと左側キー１０Ｄの間のキー−「６」、左側キー１０Ｄ−「７」、左側キー１０Ｄと上側キー１０Ａの間のキー−「８」、中央側キー１０Ｅ−「９」、第７キー−「０」、をそれぞれ設定して数字を入力することができる。
【産業上の利用可能性】
【００８６】
上記のようになされた本発明は、移動電話、ＰＤＡ、携帯用コンピュータ、ＴＶリモコンのように完全なキーボード構成が難しい装置に、すべての文字の入力が最小限の入力により可能であるため、既存の方式に比べて向上する入力速度と便利な使用性を提供する。
【００８７】
以上では、本発明を、特定の好ましい実施例を例に挙げて図示説明したが、本発明は、上記の実施例に限定されず、その趣旨を逸脱しない限り、当該発明の属する技術範囲で通常の知識を有する者により、種々変更と修正が可能である。
【図面の簡単な説明】
【００８８】
【図１】本発明のキーモジュールの構成を説明するためのブロック図である。
【図２】本発明によるキーモジュールの実施例を説明するための例示図である。
【図３】本発明によるキーモジュールの実施例を説明するための例示図である。
【図４】本発明によるキーモジュールの実施例を説明するための例示図である。
【図５】本発明によるキーモジュールの実施例を説明するための例示図である。
【図６】本発明により中国語を入力するための方法を説明する例示図である。
【図１】
2005518585.tif 000040
【図２】
2005518585.tif 000041
【図３】
2005518585.tif 000042
【図４】
2005518585.tif 000043
【図５】
2005518585.tif 000044
【図６】
2005518585.tif 000045
【国際調査報告】
2005518585.tif 000046
2005518585.tif 000047